(57)【要約】【課題】ドライブ機器の外観上の美感を向上させることができ、外装部品の着脱を容易に行うことができるディスクドライブ装置を提供すること。【解決手段】フロッピーディスク２０の記録面２１ａとほぼ平行となるドライブ本体３の上側面３ｅの全面を覆うように装飾板２を着脱可能とした。例えば模様、色彩、または形状等の異なる装飾板２を多種用意すれば、利用者の好みに応じたディスクドライブを提供することができる。また、本体３の正面３ａ、３ｂに係合片６ａが設けられ、装飾板２の短辺側部材２ａ、２ｂに係合溝が設けられているので、着脱を容易に行うことができる。【選択図】  図１
2004334993.tif 000002
【特許請求の範囲】
【請求項１】
ディスクの挿入口を有する正面と、挿入された前記ディスクの記録面とほぼ平行となる側面とを有するディスクドライブ本体と、
前記側面に対して着脱自在に設けられ、前記側面のほぼ全面を覆う装飾板と
を具備することを特徴とするディスクドライブ装置。
【請求項２】
請求項１に記載のディスクドライブ装置であって、
前記装飾板は、
その周縁に長辺と短辺とを有することでほぼ矩形状をなす平板部と、
前記平板部の前記短辺に沿って設けられた短辺側部材と、
前記平板部の前記長辺に沿って設けられた長辺側部材と、
前記短辺側部材に設けられ、前記ディスクドライブ本体に係合するための第１の係合片または第１の係合溝と
を有することを特徴とするディスクドライブ装置。
【請求項３】
請求項２に記載のディスクドライブ装置であって、
前記装飾板は、
前記第１の係合片または前記第１の係合溝をそれぞれ複数有し、
前記長辺側部材に設けられ、前記ディスクドライブ本体に係合するための、前記第１の係合片または前記第１の係合溝より個数の少ない第２の係合片を有することを特徴とするディスクドライブ装置。
【請求項４】
請求項２に記載のディスクドライブ装置であって、
前記装飾板は、
前記第１の係合片または前記第１の係合溝をそれぞれ複数有し、
前記長辺側部材に設けられ、前記ディスクドライブ本体に係合するための、前記第１の係合片または前記第１の係合溝よりそれぞれ個数の少ない第２の係合溝を有することを特徴とするディスクドライブ装置。
【請求項５】
請求項２に記載のディスクドライブ装置であって、
前記装飾板は、前記長辺側部材に設けられ、前記ディスクドライブ本体に係合するための第２の係合片を有し、
前記第２の係合片は、前記第１の係合片より小さく形成されていることを特徴とするディスクドライブ装置。
【請求項６】
請求項２に記載のディスクドライブ装置であって、
前記装飾板は、前記長辺側部材に設けられ、前記ディスクドライブ本体に係合するための第２の係合溝を有し、
前記第２の係合溝は、前記第１の係合溝より小さく形成されていることを特徴とするディスクドライブ装置。
【請求項７】
請求項２に記載のディスクドライブ装置であって、
前記ディスクドライブ本体は、
前記装飾板が当該ディスクドライブ本体に装着された状態で前記第１の係合片または前記第１の係合溝付近に設けられ、前記短辺側部材に対向するように設けられた凹部を有することを特徴とするディスクドライブ装置。
【発明の詳細な説明】
【０００１】
【発明の属する技術分野】
本発明は、例えばフロッピー（登録商標）ディスクドライブ等のディスクドライブ装置に関する。
【０００２】
【従来の技術】
最近、フロッピーディスクドライブ等のディスクドライブ機器の外装の一部を利用者が好む模様や色彩とすることができるように、外装部品を交換可能としたドライブ機器が市販されている。これには、例えば、外装部品をスライドさせて着脱するものがある（例えば、非特許文献１参照。）。
【０００３】
【非特許文献１】
下記のＵＲＬに開示されている。
ｈｔｔｐ：／／ｍａｃｆａｎｎｅｔ．ｍｙｃｏｍ．ｃｏ．ｊｐ／ｎｅｗｓ／００１１／２８／１１２８ｌｏｇｉｔｅｃ＿ｆｗｄｖｄ＿ｕｓｂｆｄ．ｈｔｍｌ（出願日現在）
【発明が解決しようとする課題】
上記非特許文献１に掲載されているディスクドライブ機器では、外装部品をスライドさせるだけで着脱することができ、外装部品の着脱は容易である。しかしながら、外装部品をドライブ機器のディスクドライブ本体の上面においてその一部分しか交換することができない。交換することができる外装部品をより大きく、あるいはより多くする方が、美感も向上できる場合がある。また、そのような外装部品を多種用意すれば、同じ製品であっても外装部品の選択の仕方によっては利用者の個性がより強く発揮されることが予想される。
【０００４】
以上のような事情に鑑み、本発明の目的は、ドライブ機器の外観上の美感を向上させることができるディスクドライブ装置を提供することにある。
【０００５】
本発明の別の目的は、ドライブ機器の外装部品の着脱を容易に行うことができるディスクドライブ装置を提供することにある。
【０００６】
【課題を解決するための手段】
上記目的を達成するため、本発明に係るディスクドライブ装置は、ディスクの挿入口を有する正面と、挿入された前記ディスクの記録面とほぼ平行となる側面とを有するディスクドライブ本体と、前記側面に対して着脱自在に設けられ、前記側面のほぼ全面を覆う装飾板とを具備する。
【０００７】
本発明では、挿入された前記ディスクの記録面とほぼ平行となるディスクドライブ本体の側面のほぼ全面を覆うように装飾板を着脱可能とした。例えば模様、色彩、または形状等の異なる装飾板を多種用意すれば、利用者の好みに応じたディスクドライブ装置を提供することができる。また、例えば、ディスクドライブ本体の当該側面はその本体の表面中最も大きい面を占める場合が多い。したがって本発明によれば、従来に比べ美感をさらに向上させることができ、例えば同じ形状等を有するディスクドライブであっても装飾板の選択の仕方によっては、利用者の個性がより強く発揮され、利用者の興趣の向上を図ることができる。また、ディスクドライブを例えばパーソナルコンピュータ等に接続する等して使用する場合に、そのパーソナルコンピュータの外観上の色彩や模様と統一感を持たせることができるようになる等、周囲の環境に合わせて装飾板を選択できるようになる。
【０００８】
本発明の一の形態では、前記装飾板は、その周縁に長辺と短辺とを有することでほぼ矩形状をなす平板部と、前記平板部の短辺に沿って設けられた短辺側部材と、前記平板部の長辺に沿って設けられた長辺側部材と、前記短辺側部材に設けられ、前記ディスクドライブ本体に係合するための第１の係合片または第１の係合溝とを有する。短辺側部材に第１の係合片が設けられている場合は、例えばディスクドライブ本体にその第１の係合片と係合する係合溝が設けられるようにすればよい。短辺側部材に第１の係合溝が設けられている場合は、例えばディスクドライブ本体にその第１の係合溝と係合する係合片が設けられるようにすればよい。本発明では、長辺側部材でなく、短辺側部材に第１の係合片または第１の係合溝を設けることで、装飾板の本体への着脱が容易となる。つまり、例えば人の手で２つの短辺側部材のうち一方側から装飾板を取り外す方が、２つの長辺側部材のうち一方側から装飾板を取り外す場合に比べ慣性モーメントが大きくなるため、着脱が容易となる。すなわち、長辺の長さと短辺の長さの差の分だけ慣性モーメントが大きくなる。また、例えば人の手で装飾板を把持する場合、２つの長辺側部材を把持する方が、２つの短辺側部材を把持する場合に比べ、極力指を広げないようにすることができる。このことは、装飾板をディスクドライブ本体に装着する場合も、取り外す場合も同じことが言え、装飾板の着脱を容易に行うことができる。
【０００９】
本発明の一の形態では、前記装飾板は、前記第１の係合片または前記第１の係合溝をそれぞれ複数有し、前記長辺側部材に設けられ、前記ディスクドライブ本体に係合するための、前記第１の係合片または前記第１の係合溝より個数の少ない第２の係合片を有する。また、本発明の一の形態では、前記装飾板は、前記第１の係合片または前記第１の係合溝をそれぞれ複数有し、前記長辺側部材に設けられ、前記ディスクドライブ本体に係合するための、前記第１の係合片または前記第１の係合溝よりそれぞれ個数の少ない第２の係合溝を有する。このように第２の係合片、または第２の係合溝を設けることで、例えば本体に装着した装飾板が不意に外れてしまうことを防止でき、装着された状態を確実に維持することができる。一方、装飾板の着脱を容易にするために、第２の係合片または第２の係合溝の個数を極力少なくすることが好ましい。すなわち、第１の係合片または第１の係合溝を主とし、第２の係合片または第２の係合溝を従とすることが好ましい。本発明では、第２の係合片等を第１の係合片等より個数を少なくして装飾板の着脱を容易にしつつも、装着された状態を確実に維持することができる。
【００１０】
本発明の一の形態では、前記装飾板は、前記長辺側部材に設けられ、前記ディスクドライブ本体に係合するための第２の係合片を有し、前記第２の係合片は、前記第１の係合片より小さく形成されている。また、本発明の一の形態では、前記装飾板は、前記長辺側部材に設けられ、前記ディスクドライブ本体に係合するための第２の係合溝を有し、前記第２の係合溝は、前記第１の係合溝より小さく形成されている。これらの本発明においても、装飾板の着脱を容易にするために、第１の係合片または第１の係合溝を主とし、第２の係合片または第２の係合溝を従とするため、第２の係合片等を第１の係合片等より小さく形成している。これにより、装飾板の着脱を容易にしつつも、装飾板が装着された状態を確実に維持することができる。
【００１１】
本発明の一の形態では、前記ディスクドライブ本体は、前記装飾板が当該ディスクドライブ本体に装着された状態で前記第１の係合片または前記第１の係合溝付近に設けられ、前記短辺側部材に対向するように設けられた凹部を有する。本発明では、例えば装飾板をディスクドライブ本体から取り外す場合に有効である。例えば、凹部に人の指を入れ、そのままその指を短辺側部材に当てて取り外すことができるようになり、容易に装飾板を取り外すことができる。
【００１２】
【発明の実施の形態】
以下、本発明の実施の形態を図面に基づき説明する。
【００１３】
図１は本発明の一実施の形態に係るディスクドライブの斜視図である。本実施の形態では、例えばフロッピーディスクドライブ（以下、ＦＤドライブという。）を例に挙げて説明する。図２は、図１に示すドライブ本体３を示す平面図であり、図３及び図４はそれぞれＦＤドライブ１の背面図及び側面図である。
【００１４】
このＦＤドライブ１はドライブ本体３と装飾板２とを有し、装飾板２はドライブ本体３に対し着脱自在な構造となっている。ドライブ本体３の正面３ａには挿入口５が設けられ、フロッピーディスク２０が挿入口５から矢印Ｙの方向に挿入可能となっている。また、ドライブ本体３の正面３ａにはイジェクトボタン８が設けられている。このイジェクトボタン８を押すことにより、ドライブ本体３に装着されていたフロッピーディスク２０が取り出される。一般に、フロッピーディスク２０は、データを記録可能なディスク状の磁気媒体２１を内蔵している。ディスク状媒体２１は、面２１ａがデータの記録面となる。
【００１５】
ドライブ本体３の正面３ａには、装飾板２と係合するためのとして係合片６ａが設けられている。図２、図３、図４に示すようにドライブ本体３の背面３ｂにも係合片６ｂが設けられている。係合片６ａ、６ｂはそれぞれ例えば２つずつ設けられている。また、ドライブ本体３の両側面３ｃ、３ｄにも、装飾板２と係合するための係合片６ｃ、６ｄが設けられている。係合片６ｃ、６ｄは例えば１つずつ設けられている。ドライブ本体３の上側面３ｅは平坦な形状となっており、この上側面３ｅから各側面３ａ〜３ｄにかけて段部３ｆが設けられている。
【００１６】
また、ドライブ本体３の背面３ｂには、後述するように人の指や爪を入れるための凹部１０が設けられている。この凹部１０は、係合片６ｂに対応するように例えば２つ設けられており、装飾板２がドライブ本体３に装着された状態で、装飾板２の短辺側部材２ｂ（例えば図１参照）に対向するように設けられる。また背面３ｂのほぼ中央には、例えば図示しないパーソナルコンピュータ等に接続されるＵＳＢ（Ｕｎｉｖｅｒｓａｌ  Ｓｅｒｉａｌ  Ｂｕｓ）ケーブル９が設けられている。このケーブルはもちろんＵＳＢに限られるものではない。
【００１７】
図５は、図３に示す装飾板２のＡ−Ａ断面図である。装飾板２は、例えばその矩形状の平板部２ｅに色彩、模様等が付されている。しかし、平板部２ｅに限らず、その他の部位にも色彩、模様等が付されていてもよい。また、装飾板２は短辺側部材２ａ及び２ｂ、長辺側部材２ｃ及び２ｄを有することで、蓋状の形状をなしている。装飾板２がドライブ本体３に装着される際、短辺側部材２ａはドライブ本体３の正面３ａ側に対応し、短辺側部材２ｂはドライブ本体３の背面３ｂ側に対応する。また、長辺側部材２ｃはドライブ本体３の側面３ｃ側に対応し、長辺側部材２ｄはドライブ本体３の側面３ｄ側に対応する。符号２ｆは、装飾板２がドライブ本体３に装着された状態で、ドライブ本体３の上側面３ｅに対面する面である。
【００１８】
図３、図４、図５に示すように、装飾板２は短辺側部材２ａ、２ｂの内側には、上述したドライブ本体３の係合片６ａ、６ｂとそれぞれ係合する第１の係合溝としての係合溝１２ａ、１２ｂが設けられている。係合溝１２ａ、１２ｂはそれぞれ例えば２つずつ設けられている。また、長辺側部材２ｃ、２ｄの内側にもドライブ本体３の係合片６ｃ、６ｄとそれぞれ係合する第２の係合溝としての係合溝１２ｃ、１２ｄが設けられている。係合溝１２ｃ、１２ｄはそれぞれ例えば１つずつ設けられている。
【００１９】
図６は装飾板２をドライブ本体３に装着した状態を示す部分拡大図である。この図６では、例えばドライブ本体３の正面３ａの部位を側面３ｃ側から示している。このように係合片６ａが、係合溝１２ａに嵌合することで装飾板２がドライブ本体３に装着される。
【００２０】
次に、ドライブ本体３から装飾板２を取り外す動作について説明する。
【００２１】
図７はドライブ本体３に装飾板２が装着された状態において、ドライブ本体３の背面３ｂ側を示す部分拡大図である。例えば凹部１０に指または爪等を入れ、矢印θの方向に装飾板２の背面側の短辺側部材２ｂを押し出すようにして、係合片６ｂと係合溝１２ｂとの係合状態を解除する。この場合、正面側の短辺側部材２ａ付近が装飾板２の回転軸となって、装飾板２が回転するように作用する。このようにθ方向の回転作用が生じることによって、図８に示すように、ドライブ本体３の側面３ｃ及び３ｄに設けられた係合片６ｃ及び６ｄと、装飾板の長辺側部材２ｃ及び２ｄに設けられた係合溝１２ｃ及び１２ｄとの係合がそれぞれ自然に解除される。
【００２２】
本実施の形態では、このように凹部１０を設けることで装飾板２をドライブ本体３から取り外しやすくなる。
【００２３】
また、本実施の形態では、短辺側部材２ｂから係合を解除することで装飾板２のドライブ本体３への取り外しが容易となる。これは、短辺側部材２ａを回転軸とする方が、長辺側部材２ｃまたは２ｄを回転軸とする場合に比べ慣性モーメントが大きくなるからである。
【００２４】
この後、例えば、一方の手でドライブ本体３の側面３ｃ、３ｄをつかむとともに、他方の手で装飾板２の長辺側部材２ｃ、２ｄをつかみ、装飾板２をさらにθ方向に回転させるように、装飾板２及びドライブ本体３に力を加えれば、装飾板２をドライブ本体３から取り外すことができる。
【００２５】
このように本実施の形態では、手で装飾板２を把持する場合、２つの長辺側部材２ｃ及び２ｄを把持する方が、２つの短辺側部材２ａ、２ｂを把持する場合に比べ、極力指を広げないようにすることができ、容易に取り外すことができる。特に、ＦＤドライブやＣＤ−ＲＯＭドライブ等のような大きさではこのような効果が顕著である。
【００２６】
次に、装飾板２をドライブ本体３に装着する動作について説明する。
【００２７】
まず、正面側の短辺側部材２ａを本体の正面３ａに装着し（係合片６ａと係合溝１２ａとを係合させ）、その短辺側部材２ａ付近を回転軸として（図８に示すθ方向と逆方向に）装飾板２を回転させる。そして背面側の短辺側部材２ｂをドライブ本体３の背面３ｂに対して装着する（係合片６ｂと係合溝１２ｂとを係合させる）ことで、装飾板２がドライブ本体３に装着される。
【００２８】
あるいは、背面側の短辺側部材２ｂから先に装着して後に正面側の短辺側部材２ａを装着してもよい。
【００２９】
このような装着動作においても同様に、一方の手でドライブ本体３の側面３ｃ、３ｄをつかむとともに、装飾板２の長辺側部材２ｃ、２ｄを手でつかみ、装飾板２を図８に示すθ方向と逆方向に回転させるようにすれば装着が容易となる。
【００３０】
また、手で装飾板２を把持する場合、２つの長辺側部材２ｃ及び２ｄを把持する方が、２つの短辺側部材２ａ、２ｂを把持する場合に比べ、極力指を広げないようにすることができ、装着が容易となる。
【００３１】
以上、装飾板２の着脱動作について説明したが、以上に述べた作用効果は、ドライブ本体３の背面３ｂ（または正面３ａ）に係合片６ｂ（または６ａ）が設けられ、装飾板２の短辺側部材２ｂ（または２ａ）に係合溝１２ｂ（または１２ａ）が設けられる、という構成を採ることによって奏するものである。別言すれば、側面３ｃ、３ｄに設けられた係合片６ｃ、６ｄ、長辺側部材２ｃ、２ｄに設けられた係合溝１２ｃ、１２ｄは、係合片６ｂ等、係合溝１２ｂ等の補助にすぎないものである。つまり、係合片６ｃ、６ｄ、係合溝１２ｃ、１２ｄは、例えば装飾板２がドライブ本体３から不意に外れてしまうことを防止するためであって、装着された状態を確実に維持するために設けられたものである。したがって、装着された状態を確実に維持できれば、係合片６ｃ、６ｄ、係合溝１２ｃ、１２ｄは不要である。
【００３２】
このように、係合片６ｂ等、係合溝１２ｂ等を主として、係合片６ｃ、６ｄ、係合溝１２ｃ、１２ｄを従とするための手段の１つとして、以下のような手段がある。
【００３３】
例えば図５に示すように、係合溝１２ａのＸ方向の幅をｔ１とし、係合溝１２ｃ及び１２ｄのＹ方向の幅をｔ３とした場合、ｔ１＞ｔ３となるようにする。また、同様に係合溝１２ｂのＸ方向の幅をｔ２とした場合、ｔ２＞ｔ３となるようにする。ｔ１とｔ２との関係は問わず、同じであってもよい。このように短辺側と長辺側とで係合溝等の幅を異ならせることによって、両者の主従関係をつけることができる。また幅だけでなく、その係合溝の深さ等も異ならせるようにしてもよい。
【００３４】
また主従関係をつけるための他の手段として、本実施の形態では、係合片６ｂ等、係合溝１２ｂ等の個数より、係合片６ｃ、６ｄ、係合溝１２ｃ、１２ｄの個数を少なくしている。
【００３５】
このように短辺側と長辺側で主従関係を持たせることによって、装飾板２の着脱を容易にしつつも、装飾板２がドライブ本体３に装着された状態を確実に維持することができる。
【００３６】
以上のように本実施の形態では、フロッピーディスク２０の記録面２１ａとほぼ平行となるドライブ本体３の上側面３ｅの全面を覆うように装飾板２を着脱可能とした。例えば模様、色彩、または形状等の異なる装飾板２を多種用意すれば、利用者の好みに応じたディスクドライブを提供することができる。
【００３７】
本実施の形態では、例えば、ドライブ本体３の上側面３ｅはそのドライブ本体３の表面中最も大きい面を占める。したがって本実施の形態によれば、従来に比べ美感をさらに向上させることができ、例えば同じ形状等を有するディスクドライブであっても装飾板２の選択の仕方によっては、利用者の個性がより強く発揮され、利用者の興趣の向上を図ることができる。
【００３８】
本実施の形態では、ＦＤドライブ１を例えば図示しないパーソナルコンピュータ等に接続する等して使用する場合に、そのパーソナルコンピュータの外観上の色彩や模様と統一感を持たせることができるようになる等、周囲の環境に合わせて装飾板２を選択できるようになる。
【００３９】
本実施の形態では、治具や余分な部品を必要とすることなく、ドライブ本体３に対する装飾板２の着脱を容易に行うことができる。
【００４０】
本発明は以上説明した実施の形態には限定されるものではなく、種々の変形が可能である。
【００４１】
例えば、係合片６ａ、６ｂ、６ｃ、６ｄ、係合溝１２ａ、１２ｂ、１２ｃ、１２ｄは上述した形状に限られない。図９に示すように、装飾板２２の短辺側部材２２ａの先端の形状を突起状とした係合片３２ａを設け、ドライブ本体２３の正面２３ａに設けられた係合溝１６ａに係合するようにしてもよい。この場合、この係合片３２ａは、短辺側部材２２ａの辺方向に沿って連続的に形成されていてもよいし、複数箇所、または、１つだけ形成されるようにしてもよい。図９に示さない長辺側部材についても同様である。
【００４２】
例えば、上記実施の形態では、ドライブ本体３に係合片６ａ、６ｂ等を設け、装飾板２に係合溝１２ａ、１２ｂ等を設けるようにした。しかしこれに限らず、装飾板２に係合片を設け、ドライブ本体３に係合溝を設けるようにすることもできる。また、もちろん装飾板２に係合片及び係合溝の両方を設けるようにしてもよい。
【００４３】
例えば係合片６ａ、６ｂの個数は上記実施の形態で示した２つずつに限られず、２つより多くてもよい。また係合片６ａが２つであって、係合片６ｂが３つ以上というように正面側と背面側とで異なるようにしてもよい。また、これらに応じて装飾板２の係合溝１２ａ、１２ｂの個数を異なるようにすればよい。このことは係合片６ｃ、６ｄ、係合溝１２ｃ、１２ｄについても同様である。
【００４４】
例えば、上記実施の形態では凹部１０を背面３ｂ側に設けるようにしたが正面３ａ側に設けるようにしてもよい。あるいは凹部１０を正面３ａ及び３ｂ両方に設けるようにしてもよい。
【００４５】
【発明の効果】
以上説明したように、本発明によれば、ドライブ機器の外観上の美感を向上させることができ、また、ドライブ機器の外装部品の着脱を容易に行うことができる。
【図面の簡単な説明】
【図１】本発明の一実施の形態に係るＦＤドライブを示す斜視図である。
【図２】図１に示すＦＤドライブ本体の平面図である。
【図３】図１に示すＦＤドライブの背面図である。
【図４】図１に示すＦＤドライブの側面図である。
【図５】図３におけるＡ−Ａ断面図である。
【図６】装飾板をドライブ本体に装着した状態を示す部分拡大図である。
【図７】図１に示すＦＤドライブの本体の背面側を示す部分拡大図である。
【図８】本体から装飾板を取り外す場合の動作を説明するための側面図である。
【図９】本発明の他の実施の形態に係るＦＤドライブの部分拡大図である。
【符号の説明】
１…ＦＤドライブ
２…装飾板
２ａ、２ｂ…短辺側部材
２ｂ…短辺側部材
２ｃ、２ｄ…長辺側部材
２ｅ…平板部
３…ドライブ本体
３ａ…正面
３ｅ…上側面
５…挿入口
６ａ、６ｂ、６ｃ、６ｄ…係合片
１０…凹部
１２ａ、１２ｂ、１２ｃ、１２ｄ…係合溝
２０…フロッピーディスク
２１ａ…記録面
【図１】
2004334993.tif 000003
【図２】
2004334993.tif 000004
【図３】
2004334993.tif 000005
【図４】
2004334993.tif 000006
【図５】
2004334993.tif 000007
【図６】
2004334993.tif 000008
【図７】
2004334993.tif 000009
【図８】
2004334993.tif 000010
【図９】
2004334993.tif 000011